(57)【特許請求の範囲】
【請求項１】
十字状に操作される操作スイッチにおいて、
基板に固定接続され、内部に動作支点を有するシャフトが上方に突設されるスイッチ本体部と、
前記シャフトが中心部に挿入固定され、中心外面部に係止シャフトが形成される半球状ボタンガイドと、
前記係止シャフトが挿入固定されるキートップと、
前記キートップの十字状の移動に連動する前記半球状ボタンガイドに沿うように開口部を設けたアッパーケースとを備え、
前記半球状ボタンガイドの外面部には、前記スイッチの操作方向に突設されるガイドピンが設けられと共に、前記アッパーケースと前記基板間には前記ガイドピンが係合されるガイド溝を有するリブが設けられ、前記ガイド溝は、前記半球状ボタンガイドの前記十字状の移動を許容し、かつ、前記係止シャフトを軸とする前記半球状ボタンガイドの回転移動を規制する形状に形成されていることを特徴とする操作スイッチ。
【発明の詳細な説明】
【０００１】
【産業上の利用分野】
本発明は、ファミコン、その他ゲ−ム機、音響機器等に使用されている十字方向に移動可能な操作スイッチに関するものである。
【０００２】
【従来の技術】
従来の十字方向に移動可能な操作スイッチ（以下操作スイッチと称する）は例えば、図７で示されるようなゲ−ム機に使用されている。
図でわかるように、操作スイッチＳは十字方向に移動可能の矢印マ−クが施されており、ゲ−ムをする場合のコントロ−ラ−となる。
【０００３】
図４、図５及び図６は従来の操作スイッチＳに係る関係断面図を示している。
図４はスイッチ本体部２がプリント配線基板１等に取り付けられ、シャフト２’が樹脂製のキ−トップ３の嵌合孔３’へ圧入されている状態を示している。
この場合、組立てはアッパ−ケ−ス４の裏面より行う構造となっている。
また、キ−トップ３はスイッチ本体部２のシャフト２’の動作支点を中心とした半球形状をしており、キ−トップ３の操作によりスイッチ本体部２を動作させた場合でも、図でわかるように、機器内部からの光が洩れない構造となっいる。
しかしながら、この構造ではスイッチ本体部２のシャフト２’の円周方向のがたつきを吸収出来ず、それがキ−トップ３へ伝わるという不具合があった。
また、この構造においては、キ−トップ３の指先が当たる部分の形状が、アッパ−ケ−ス４の開口面積より大きくとれない為、デザイン上にも限界があった。
【０００４】
図５は従来の他の例を示すもので、この場合図でわかるように、図４との構成上の違いは組立てとして、キ−トップ３を最後に上方よりシャフト２’へ圧入して行うものである。
この構造によれば、図４に比べてキ−トップ３を自由にデザインすることが可能となるが、やはり同様にシャフト２’の円周方向のがたつきを吸収できないという問題点があった。
【０００５】
図６はさらに従来の他の例を示すもので、上記したものと違い、キ−トップ３を半球状以外の構造となっている。この場合、機器内部からの光洩れを防ぐため、アッパ−ケ−ス４の開口部とキ−トップ３との間にスポンジ５を設けている。
このスポンジ５を構成した場合、その材料によっては低温時に硬くなりスイッチ自体の動作不良を起こす等の不具合があった。また、スポンジを使用することにより、コストアップ乃至装置の低級感等の問題点もあった。
【０００６】
【発明が解決しようとする課題】
そこで本発明は、上記実状を鑑み、キ−トップが取り付けられる操作スイッチの構造において、操作スイッチ自体が持つ、シャフト円周方向のがたつきを吸収し、かつ機器内部からの光洩れを防ぎ、またキ−トップのデザイン自由度を広げる等を特徴したものを提供することにある。
【０００７】
【課題を解決するための手段】
そこで本発明は、十字状に操作される操作スイッチにおいて、基板に固定接続され、内部に動作支点を有するシャフトが上方に突設されるスイッチ本体部と、前記シャフトが中心部に挿入固定され、中心外面部に係止シャフトが形成される半球状ボタンガイドと、前記係止シャフトが挿入固定されるキートップと、前記キートップの十字状の移動に連動する前記半球状ボタンガイドに沿うように開口部を設けたアッパーケースとを備え、前記半球状ボタンガイドの外面部には、前記スイッチの操作方向に突設されるガイドピンが設けられと共に、前記アッパーケースと前記基板間には前記ガイドピンが係合されるガイド溝を有するリブが設けられ、前記ガイド溝は、前記半球状ボタンガイドの前記十字状の移動を許容し、かつ、前記係止シャフトを軸とする前記半球状ボタンガイドの回転移動を規制する形状に形成されていることを要旨とするものである。
【０００９】
【作用】
キ−トップは操作スイッチを覆うように最上部に設けられているので、形状乃至デザインの自由度が大であり、またボタンガイドは半球状構造であって、そのボタンガイドの形状に合わせて設けられたアッパ−ケ−スの開口部に沿って移動可能となっており、よって下方の機器内部からの光洩れがなく、さらにまた、ガイドピンとガイドリブと相俟ってシャフト円周方向のがたつきをなくしている。
【００１０】
【実施例】
図１及び図２は本発明を各方向から見た断面関係図を示す実施例である。図において、本発明の操作スイッチＳは上方より、キ−トップ３、半球状に形成されれキ−トップ３に圧入固定する係止シャフトを有するボタンガイド６及びプリント配線基板１に接続固定されたスイッチ本体部２等で構成されている。なお、図１は本発明の操作スイッチの構造をある方向から見た断面関係図であり、図２は図１の右方９０度の位置から見た断面関係図である。  また、図３は本発明の操作スイッチの構造を各部において、理解しやすくするために示した分解関係図である。
以下、さらに図面に基づき本発明の詳細な説明をする。
プリント配線基板１上に設置されたスイッチ本体部２のシャフト２’には半球状のガイドボタン６が取り付けられている。このガイドボタン６には円柱状のガイドピン７が設けられており、このガイドピン７の位置の中心は図１の状態で、スイッチ本体部２におけるシャフト２’の動作点ａと同一線上にあるように設定されている。
アッパ−ケ−ス４はボタンガイド６の出っ張る部分が開口されており、これら両者が近接するところはその開口部がボタンガイド６を覆うように土手状になっているので、上方への光洩れを防いでいる。
なお、ガイドピン７はアッパ−ケ−ス４の下面に設けられたガイドリブ８の溝８’に係合している。
【００１１】
図１において、キ−トップ３をＡ方向に移動すると、ボタンガイド６のガイドピン７がガイドリブ８の溝８’に案内され、スイッチ本体部２のシャフト２’が連動し、Ａ方向における右端側又は左端側でそれぞれスイッチがオンされる。
また、図２においても同様に、キ−トップ３をＢ方向に移動すると、ボタンガイド６のガイドピン７がガイドリブ８の溝８’に案内され、スイッチ本体部２のシャフト２’が連動し、Ｂ方向における右端側又は左端側でそれぞれスイッチがオンされる。
【００１２】
図でわかるように、ガイドピン７とガイドリブ８の溝８’とのクリアランスは摺動するための最小寸法となつていることから、スイッチ本体部２のスイッチ状態が中立の時においても、キ−トップ３のＣ方向のがたつきは殆どない構造となっている。
【００１３】
【発明の効果】
以上に述べたように本発明の操作スイッチの構造は、特に十字方向に移動するようなスイッチにおいて、スイッチ自体が持つシャフトの円周方向のがたつきを吸収し、かつ機器内部からの光洩れを防ぎ、またキ−トップのデザインの自由度を広げる等の大きな利点を有する。
【図面の簡単な説明】
【図１】本発明に係る操作スイッチの断面関係図である。
【図２】図１の右方９０度の位置から見た断面関係図である。
【図３】本発明に係る操作スイッチの構造における、分解関係図である。
【図４】従来の操作スイッチを示す断面関係図である。
【図５】従来の他の操作スイッチを示す断面関係図である。
【図６】従来のさらに他の操作スイッチを示す断面関係図である。
【図７】従来の十字方向に移動可能な操作スイッチが設けらたゲ−ム機の外観図を示すものである。
【符号の説明】
１  プリント配線基板
２  スイッチ本体部
２’シャフト
３  キ−トップ
４  アッパ−ケ−ス
６  ボタンガイド
７  ガイドピン
８  ガイドリブ
ａ  シャフト動作点
【図１】
0003795549.tif 000002
【図２】
0003795549.tif 000003
【図３】
0003795549.tif 000004
【図４】
0003795549.tif 000005
【図５】
0003795549.tif 000006
【図６】
0003795549.tif 000007
【図７】
0003795549.tif 000008